(57)【要約】【課題】バッテリ交換が容易で、かつ運用中にバッテリカバーごと外れてしまうことを回避し得るハンドストラップ及びハンドストラップを備えたタブレット端末を提供する。【解決手段】本発明のハンドストラップは、帯状の弾性体からなり、タブレット端末の背面の手の幅の寸法より幅の広いバッテリカバーの外側の位置に、バッテリカバーを跨ぐように取り付けられ、帯状の弾性体の中心部分に長手方向のスリットを有し、スリットの周囲及びスリットの長手方向の端部とタブレット端末の取り付け位置との間が縫製されている。【選択図】図１
2017099761.tif 000002
【特許請求の範囲】
【請求項１】
帯状の弾性体からなり、タブレット端末の背面の手の幅の寸法より幅の広いバッテリカバーの外側の位置に、前記バッテリカバーを跨ぐように取り付けられるハンドストラップであって、
前記ハンドストラップは、前記帯状の弾性体の中心部分に長手方向のスリットを有し、
前記スリットの周囲及び前記スリットの長手方向の端部と前記タブレット端末の取り付け位置との間が縫製されていることを特徴とするハンドストラップ。
【請求項２】
前記スリットの長手方向の寸法は、手の小さな人の手の幅の寸法に適合していることを特徴とする請求項１に記載のハンドストラップ。
【請求項３】
前記ハンドストラップの長手方向の寸法は、
手の大きな人の手の幅の寸法に適合していることを特徴とする請求項１に記載のハンドストラップ。
【請求項４】
前記帯状の弾性体は、ゴムを主成分とする材質により構成されることを特徴とする請求項１に記載のハンドストラップ。
【請求項５】
前記帯状の弾性体は、３０ｍｍ伸ばすのに、約２５０ｇの力を必要とすることを特徴とする請求項１に記載のハンドストラップ。
【請求項６】
矩形形状をした筐体を有し、
前記筐体の前面に配置された表示画面と、
前記筐体の背面に配置された、手の幅の寸法より幅の大きなバッテリカバーと、
前記バッテリカバーの外側の位置に、前記バッテリカバーを跨ぐようにハンドストラップを取り付ける留め金と、を有し、
前記ハンドストラップは、
帯状の弾性体からなり、前記帯状の弾性体の中心部分に長手方向のスリットを有し、前記スリットの周囲及び前記スリットの長手方向の端部と前記取り付け金具との間が縫製されていることを特徴とするタブレット端末。
【発明の詳細な説明】
【技術分野】
【０００１】
本発明は、ハンドストラップ及びハンドストラップを備えたタブレット端末に関する。
【背景技術】
【０００２】
スーパーマッケットや家電量販店等において、テンキーボタンが付いたタブレット端末（ＥＯＢ端末）が商品発注用に店員に用いられている。このＥＯＢ端末の背面には、手の大きさに合った長さのハンドストラップが取り付けられている。ＥＯＢ端末の背面の筐体とハンドストラップの間に左手を挿入することにより、左手でＥＯＢ端末を安定的に保持し、右手でテンキーボタンが操作できるように構成されている。
【０００３】
タブレット端末のハンドストラップに関して、例えば、下記特許文献１、２がある。
特許文献１には、背面のバッテリカバーを跨ぐようにハンドストラップが取り付けられた携帯型情報端末装置（タブレット端末）が提案されている。
【０００４】
又、特許文献２には、手の大きさに拘らず、手にフィットさせるため、ハンドストラップの長さ調整機能を設けることが提案されている。
【先行技術文献】
【特許文献】
【０００５】
【特許文献１】特開２００１−３１２３２９号公報
【特許文献２】特開平１０−１７３３５２号公報
【発明の概要】
【発明が解決しようとする課題】
【０００６】
近年、このＥＯＢ端末において、画面の大型化・筐体の薄型化がトレンドとなっている。特に、筐体の薄型化を実現するためには、容量を減らすことなく、薄型のバッテリを用いる必要があり、バッテリの平面面積及びバッテリカバーの面積を大型化する必要がある。
【０００７】
バッテリカバーの面積を大型化したＥＯＢ端末に、手の大きさに合った長さの従来のハンドストラップを取り付けると、ハンドストラップを取り付ける位置がバッテリカバーと重なってしまう。そうすると、運用時にハンドストラップがバッテリカバーごと外れてしまう虞がある。ハンドストラップがバッテリカバーごと外れてしまうのを防ぐため、バッテリカバーをネジで固定する方法があるが、バッテリ交換時にドライバー等のツールが必要となり、バッテリ交換が容易にできないという問題が発生する。
【０００８】
そこで、本発明は、バッテリ交換が容易で、かつ運用中にバッテリカバーごと外れてしまうことを回避し得るハンドストラップ及びハンドストラップを備えたタブレット端末を提供することを目的とする。
【課題を解決するための手段】
【０００９】
本発明の第１の側面のハンドストラップは、帯状の弾性体からなり、タブレット端末の背面の手の幅の寸法より幅の広いバッテリカバーの外側の位置に、前記バッテリカバーを跨ぐように取り付けられるハンドストラップであって、前記ハンドストラップは、前記帯状の弾性体の中心部分に長手方向のスリットを有し、前記スリットの周囲及び前記スリットの長手方向の端部と前記タブレット端末の取り付け位置との間が縫製されていることを特徴とする。
【００１０】
第２の側面のタブレット端末は、片手で保持するのが好適な質量で、横長な矩形形状をした薄型の筐体を有し、前記筐体の前面に配置された表示画面及びテンキーボタンと、バーコードを読み取るスキャナを本体に接続する接続端子と、前記筐体の背面に配置された、手の幅の寸法より幅の大きなバッテリカバーと、前記バッテリカバーの外側の位置に、前記バッテリカバーを跨ぐようにハンドストラップを取り付ける留め金と、を有し、前記ハンドストラップは、帯状の弾性体からなり、前記帯状の弾性体の中心部分に長手方向のスリットを有し、前記スリットの周囲及び前記スリットの長手方向の端部と前記取り付け金具との間が縫製されていることを特徴とする。
【発明の効果】
【００１１】
本発明のハンドストラップは、帯状の弾性体からなり、タブレット端末の背面の手の幅の寸法より幅の広いバッテリカバーの外側の位置に、バッテリカバーを跨ぐように取り付けられ、帯状の弾性体の中心部分に長手方向のスリットを有し、スリットの周囲及びスリットの長手方向の端部とタブレット端末の取り付け位置との間が縫製されている。これにより、本発明のハンドストラップを備えたタブレット端末は、バッテリ交換が容易であり、かつ運用中にハンドストラップがバッテリカバーごと外れてしまうことを回避することが可能となる。
【図面の簡単な説明】
【００１２】
【図１】本発明の実施形態におけるタブレット端末の背面に取り付けられたハンドストラップを説明する図である。
【図２】従来のタブレット端末の背面に取り付けられたハンドストラップを説明する図である。
【図３】従来のハンドストラップをバッテリカバーの大きなタブレット端末に取り付けたときの課題を説明する図（その１）である。
【図４】従来のハンドストラップをバッテリカバーの大きなタブレット端末に取り付けたときの課題を説明する図（その２）である。
【図５】図１中のハンドストラップに大きな手が挿入された状態を説明する図である。
【図６】図１中のハンドストラップに小さな手が挿入された状態を説明する図である。
【図７】図１中のハンドストラップにスキャナが挿入された状態を説明する図である。
【発明を実施するための形態】
【００１３】
以下、図面に従って本発明の実施形態を説明する。
（実施形態の構成）
図１は、本発明の実施形態におけるタブレット端末の背面に取り付けられたハンドストラップを説明する図である。
【００１４】
タブレット端末１は、商品発注用に店員に用いられている端末であり、前面には、図示しない表示画面やテンキーボタン等を有している。背面筐体２には、図示しない薄型のバッテリを覆うバッテリカバー３が着脱可能に取り付けられている。
【００１５】
ハンドストラップ５は、タブレット端末１を片手で安定して保持するためのものであり、帯状の弾性体からなるベルトである。例えば、ゴムが織り込まれたベルトにより構成される。ハンドストラップ５をタブレット端末１の背面筐体２に固定するため、バッテリカバー３を対角線状に跨ぐ位置に、一対の留め金４が取り付けられている。
【００１６】
ハンドストラップ５は、帯状の弾性体の長さは手の幅よりも長く、この帯状の弾性体の中心部分に長手方向にスリット６が設けられ、スリット６の周囲に縫製７が施され、更に、スリット６の長手方向の端部と留め金４との間に縫製８が施されている。
【００１７】
ハンドストラップ５の一つの設計例として、日本人の手の幅の平均値が７８[ｍｍ]であることを考慮して、スリット６の幅を約１００[ｍｍ]、ハンドストラップ５の長さを約２３０[ｍｍ]としている。又、ハンドストラップ５の弾性については、お客様からフィット感が良いと好評を受けている従来品に倣って３０[ｍｍ]伸ばすのに、約２５０[ｇ]の力が必要な弾性としている。
【００１８】
ここで、フィット感が良いとは、ハンドストラップ５の弾性により手を締付ける強度が程よい強度であり、しっかりタブレット端末１を保持できる状態をいう。
【００１９】
（実施形態の動作）
本発明の実施形態の動作について、（Ｉ）従来のタブレット端末とハンドストラップとの関係と、(II)本発明の実施形態のタブレット端末とハンドストラップとの関係と、に分けて説明する。
【００２０】
（Ｉ）従来のタブレット端末とハンドストラップとの関係
図２は、従来のタブレット端末の背面に取り付けられたハンドストラップを説明する図である。
【００２１】
図２に示されたタブレット端末１０の背面筐体１２には、バッテリ１３が着脱可能に取り付けられている。又、一対の留め金１４によりハンドストラップ１５が取り付けられている。人の手の幅の寸法に合わせて、手を挿入したときに適度に手を締め付けてタブレット端末１が片手で安定して保持できるように、一対の留め金１４の間隔及びハンドストラップ１５の長さが決められている。そのため、背面筐体１２とハンドストラップ１５との間に掌を挿入することで、タブレット端末１０を一方の手で保持しながら、他方の手で前面の表示画面を参照し、テンキー等により商品発注等の操作を行うことができる。
【００２２】
図３は、従来のハンドストラップをバッテリカバーの大きなタブレット端末に取り付けたときの課題を説明する図（その１）である。
【００２３】
図３に示されたタブレット端末１０Ａにおける一対の留め金１４の間隔及びハンドストラップ１５の長さは、図２におけるタブレット端末１０と同じである。
【００２４】
しかし、タブレット端末１０Ａの筐体背面１２Ａには、図示しない薄型のバッテリを覆うバッテリカバー３が着脱可能に取り付けられている。タブレット端末１０Ａでは、一対の留め金１４の取り付け位置がバッテリカバー３上の位置になってしまう。
【００２５】
そのため、タブレット端末１０Ａを一方の手で保持しながら、他方の手で前面の表示画面を参照し、テンキー等により商品発注等の操作を行うと、ハンドストラップ１５と共にバッテリカバー３が外れる虞がある。バッテリカバー３を筐体背面１２Ａにビス止めする方法もあるが、バッテリカバー３を筐体背面１２Ａにビス止めすると、バッテリ交換時にドライバー等のツールが必要となり、バッテリ交換が容易にできない。
【００２６】
図４は、従来のハンドストラップをバッテリカバーの大きなタブレット端末に取り付けたときの課題を説明する図（その２）である。
【００２７】
図４に示されたタブレット端末１０Ｂにおける背面筐体１２Ａ上の一対の留め金１４は、バッテリカバー３を跨いだ位置に取り付けられ、ハンドストラップ１５Ａの長さは、図２におけるハンドストラップ１５の長さよりも長い。
【００２８】
タブレット端末１０Ｂの背面筐体１２Ａとハンドストラップ１５Ａとの間に、例えば、左手を挿入した場合、ハンドストラップ１５Ａの長さが、従来から使用しているハンドストラップ１５の長さよりも長いため、手を締め付ける力が弱く、左手で安定して保持することができない。ハンドストラップ１５Ａの弾性を強くする対策も考えられるが、使用実績があるハンドストラップ１５の弾性を変更するには、別途検討が必要である。
【００２９】
そこで、バッテリ交換が容易かつ、運用中にハンドストラップがバッテリカバーごと外れてしまうことを回避し得る本発明の実施形態のハンドストラップ及びハンドストラップを備えたタブレット端末の動作について以下説明する。
【００３０】
(II)本発明の実施形態のタブレット端末とハンドストラップとの関係
図５は、図１中のハンドストラップに大きな手が挿入された状態を説明する図であり、図１と共通の要素には共通の符号が付されている。
【００３１】
図５に示されたハンドストラップ５は、図４に示されたハンドストラップ１５Ａに、スリット６と、スリット６の周囲の縫製７と、スリット６の長手方向の端部と一対の留め金４との間の縫製８と、が追加されている。
【００３２】
ハンドストラップ５は、縫製７及び８を施すことにより、図２及び図３中のハンドストラップ１５と同程度の弾性に調整されている。これにより、背面筐体２とハンドストラップ５との隙間に、大きな手が挿入された場合、例えば、図２と同様なフィット感でタブレット端末１を保持することができる。
【００３３】
しかし、大きな手を基準にして長さ及び弾性が決定されたハンドストラップ５に、小さな手が挿入されると、ハンドストラップ５の長さが長過ぎること及び弾性が弱すぎることにより、例えば、図２と同様なフィット感でタブレット端末１を保持することができない。
【００３４】
図６は、図１中のハンドストラップに小さな手が挿入された状態を説明する図である。
図６を見ると、左手の人差し指、中指、薬指、小指の４本の指がハンドストラップ５のスリット６に挿入されている。小さな手の人がタブレット端末１を保持する場合は、図６に示されたように、４本の指をハンドストラップ５のスリット６に挿入すると、例えば、図２と同様なフィット感でタブレット端末１を片手で安定に保持することができる。
【００３５】
図７は、図１中のハンドストラップにスキャナが挿入された状態を説明する図である。
図７を見ると、ハンドストラップ５のスリット６にスキャナ９が挿入されている。スリット６に挿入するものは、スキャナ９に限定されない。タブレット端末１にケーブル等で接続して使用するオプション類をタブレット端末１と共に携帯する場合、スリット６にオプション類を挿入することができる。
（実施形態の効果）
本発明の実施形態によれば、ハンドストラップ５は、バッテリカバー３を跨ぐように取り付けられる。これにより、ハンドストラップ５と共にバッテリカバー３が外れることがない。
【００３６】
ハンドストラップ５は、スリット６の周囲及びスリット６の長手方向の端部と一対の留め金４の間を縫製している。これにより、大きな手の人がタブレット端末１を保持する場合に、従来と同様なフィット感でタブレット端末１を保持することができる。
【００３７】
更に、ハンドストラップ５は、帯状の弾性体の中心部分に長手方向のスリット６を有している。これにより、小さな手の人がタブレット端末１を保持する場合にも、４本の指をスリット６に挿入することにより、従来と同様なフィット感でタブレット端末１を片手で安定して保持することができる。
【００３８】
以上、本発明の実施形態について説明したが、本発明は、上述した実施形態に限定されるものではなく、本発明の要旨を逸脱しない範囲内で種々の構成又は実施形態を採ることができる。
【符号の説明】
【００３９】
１，１０，１０Ａ，１０Ｂ                    タブレット端末
２，１２，１２Ａ                            背面筐体
３                                          バッテリカバー
４，１４                                    留め金
５，１５，１５Ａ                            ハンドストラップ
６                                          スリット
７，８                                      縫製
９                                          スキャナ
１３                                          バッテリ
２０                                          手
【図１】
2017099761.tif 000003
【図２】
2017099761.tif 000004
【図３】
2017099761.tif 000005
【図４】
2017099761.tif 000006
【図５】
2017099761.tif 000007
【図６】
2017099761.tif 000008
【図７】
2017099761.tif 000009